(57)【要約】【課題】意匠性に優れ人目を引き、購買意欲をそそるような携帯時計を提案する。【解決手段】動植物等のシルエットを象った平板状の支持体１に貫通孔を開け、大径部と小径部を形成し且つ該小径部に嵌合溝を周設した時計側のその小径部２ａを支持体１の貫通孔に通して反対側へ突出させるとともに嵌合溝を支持体１と嵌合させ、そして、その反対側へ突出させた小径部２ａに嵌合部材２ｄを嵌着させて該嵌合部材２ｄと大径部とで支持体１を挟持することで時計２を固定したことを特徴とする。【選択図】  図１
0003102769.tif 000002
【実用新案登録請求の範囲】
【請求項１】
平板状の支持体に貫通孔を開け、大径部と小径部を形成した時計側の前記小径部を前記貫通孔に通して反対側へ突出させ、この反対側へ突出させた前記小径部に嵌合部材を嵌着させて該嵌合部材と前記大径部とで前記支持体を挟持することで時計を固定したことを特徴とする携帯時計。
【請求項２】
平板状の支持体に貫通孔を開け、大径部と小径部を形成し且つ該小径部に嵌合溝を周設した時計側の前記小径部を前記貫通孔に通して前記嵌合溝を前記支持体と嵌合させることで時計を固定したことを特徴とする携帯時計。
【請求項３】
平板状の支持体に貫通孔を開け、大径部と小径部を形成し且つ該小径部に嵌合溝を周設した時計側の前記小径部を前記貫通孔に通して反対側へ突出させるとともに前記嵌合溝を前記支持体と嵌合させ、そして、その反対側へ突出させた前記小径部に嵌合部材を嵌着させて該嵌合部材と前記大径部とで前記支持体を挟持することで時計を固定したことを特徴とする携帯時計。
【請求項４】
時計側の小径部先端部分に段差部を形成し、この段差部に当接して嵌合部材が嵌着される請求項１又は請求項３記載の携帯時計。
【請求項５】
支持体が物のシルエットを象ってある請求項１〜４のいずれか１項に記載の携帯時計。
【請求項６】
支持体が動植物のシルエットを象ってある請求項１〜４のいずれか１項に記載の携帯時計。
【請求項７】
支持体が革製である請求項５又は請求項６記載の携帯時計。
【請求項８】
文字盤が時計側の大径部に設けられており、貫通孔を通した小径部を通じて前記文字盤が見えるようになっている請求項１〜７のいずれか１項に記載の携帯時計。
【請求項９】
時計側の大径部に竜頭が配置されて支持体の裏側に隠れるようになっている請求項１〜８のいずれか１項に記載の携帯時計。
【考案の詳細な説明】
【技術分野】
【０００１】
本考案は、装身具として使用する携帯時計に関する。
【背景技術】
【０００２】
一般に携帯型の時計といえば、腕時計か又は特許文献１に見られるようなペンダントタイプの時計ということになるが、現在ではデザインも出尽くした感があり、人目をひく新奇なデザインのものもあまり見掛けなくなった。
【０００３】
【特許文献１】実開昭５７−４５３１３号
【考案の開示】
【考案が解決しようとする課題】
【０００４】
そこで本考案は、意匠性に優れ人目を引き、購買意欲をそそるような携帯時計を提案する。
【課題を解決するための手段】
【０００５】
本考案による携帯時計は、平板状の支持体に貫通孔を開け、大径部と小径部を形成した時計側のその小径部を支持体の貫通孔に通して反対側へ突出させ、この反対側へ突出させた小径部に嵌合部材を嵌着させて該嵌合部材と大径部とで支持体を挟持することで時計を固定したことを特徴とする。あるいは、平板状の支持体に貫通孔を開け、大径部と小径部を形成し且つ該小径部に嵌合溝を周設した時計側のその小径部を支持体の貫通孔に通して嵌合溝を支持体と嵌合させることで時計を固定したことを特徴とする。あるいはまた、平板状の支持体に貫通孔を開け、大径部と小径部を形成し且つ該小径部に嵌合溝を周設した時計側のその小径部を支持体の貫通孔に通して反対側へ突出させるとともに嵌合溝を支持体と嵌合させ、そして、その反対側へ突出させた小径部に嵌合部材を嵌着させて該嵌合部材と大径部とで支持体を挟持することで時計を固定したことを特徴とする。
【０００６】
この携帯時計では、特に、時計側の小径部に嵌合溝を形成した構造とした場合、支持体へ取り付けた時計がより抜けにくくなり、取り付け状態がさらに確実なものとなる。そしてこの場合、時計側の小径部先端部分に段差部を形成し、この段差部に当接して嵌合部材が嵌着される構造としておくと、嵌合部材の位置決めストッパとして都合がよい。
【０００７】
支持体は、物、特に動植物のシルエットを象った板状とすることができ、平面的シルエットという新たなデザインを携帯時計に提供できる。また特に、文字盤が時計側の大径部に設けられており、貫通孔を通した小径部を通じてその文字盤が見えるようにすることもでき、さらには、時計側の大径部に竜頭が配置されて支持体の裏側に隠れるようにすることもできる。すなわち、時計の竜頭や本体部分は支持体の裏へ隠れ、表には、支持体よりも奥まった文字盤及び針と嵌合部材だけが見て取れる一体的デザインとなり、意匠的に優れたものとなる。
【考案の効果】
【０００８】
通常、物、特に動植物を模した時計といえば、たとえば特許文献２に見られるように立体的に似せるようにしているが、本考案はそこに一工夫を凝らし、本考案の固定構造により時計と一体となった平板状支持体の平面的なシルエットのみで表現できるようにしたところに購買意欲をそそる特徴がある。すなわち、今までに無い意匠性を持ち、人目を引き、購買意欲をそそるような携帯時計が提案されている。
【０００９】
【特許文献２】実開平４−１６３９３号
【考案を実施するための最良の形態】
【００１０】
図１〜図５に、犬のシルエットを象った本考案の第１実施例を示している。図１は正面図、図２は背面図、図３は図１の右側面図、図４はＡ−Ａ線で見た断面図、図５は使用例の図である。
【００１１】
支持体１は、革製の平板を２枚重ね合わせて剛性を出したもので、本例ではゴールデンレトリバーのシルエットを象っている。その胸の辺りに貫通孔１ａ（図４）が開けられており、ここに時計２が固定されている。また、首の付け根部分には、使用状態図５に示すように、鞄等の取っ手に取り付けられるように鎖Ｃを通すためのリング１ｂが取り付けられている。支持体１の構造としては他にも、コルク等の薄い板材を革の間に挟んで板状とした革製、あるいは樹脂製等、各種構造が可能である。
【００１２】
時計２は、その時計側が小径部２ａと大径部２ｂとから形成され、大径部２ｂに文字盤２ｃ及び機械（ムーブメント）が収められている。そして、その小径部２ａが支持体１の裏側から貫通孔１ａを通して表側へ突出し、この突出した小径部２ａに、リング状の嵌合部材２ｄが嵌着されて大径部２ｂとの間で支持体１を挟持している。なお、小径部２ａにはガラスＧが埋め込まれ、文字盤２ｃを保護している。
【００１３】
この構造によれば、竜頭２ｅが大径部２ｂに配置されて支持体１の背面へ隠れ、図１に示すように、支持体１の表側に現れるのは嵌合部材２ｄと小径部２ａを介して見える奥まった文字盤２ｃだけである。これにより、支持体１から時計２もあまり突出することなく、シンプルで今までにない平面的質感が与えられている。
【００１４】
時計側小径部２ａは、図４に示すとおり、中間部分に嵌合溝２ｆが周設されている。この嵌合溝２ｆのある中間部分は貫通孔１ａとほぼ同径とされ、且つこれより先の小径部２ａは貫通孔１ａよりも若干大径とされている。したがって、その嵌合溝２ｆに支持体１を嵌合させると、小径部２ａの若干大径の先端部分が貫通孔周囲部に係止し、小径部２ａは容易に脱落しないで固定される構造となっている。
【００１５】
その小径部２ａの先端部分にはさらに、段差部２ｇが形成されている。そして、この先端部分に嵌着する嵌合部材２ｄの内面にも、相応するように段差部２ｈが形成されており、これら段差部２ｇ，２ｈの当接で嵌合部材２ｃがストップし、はめ込み深さが必ず同じ程度になるように位置決めされて嵌着される。これにより、ガラスＧ（すなわち時計側端面）と嵌合部材２ｄとが常に面一に保たれる。
【００１６】
図６〜図８には、本考案の第２実施例として、キノコを象った例が示してある。本例は、支持体１’のシルエットがキノコである以外は第１実施例と同じ構造である。
【図面の簡単な説明】
【００１７】
【図１】本考案の第１実施例を示す正面図。
【図２】図１の第１実施例の背面図。
【図３】図１の第１実施例の右側面図。
【図４】図１中のＡ−Ａ線で見た断面図。
【図５】図１の第１実施例の使用状態図。
【図６】本考案の第２実施例を示す正面図。
【図７】図６の第２実施例の背面図。
【図８】図６の第２実施例の使用状態図。
【符号の説明】
【００１８】
１，１’  支持体
１ａ  貫通孔
１ｂ，１ｂ’リング
２  時計
２ａ  時計側小径部
２ｂ  時計側大径部
２ｃ  文字盤
２ｄ  嵌合部材
２ｅ  竜頭
２ｆ  嵌合溝
２ｇ，ｈ  段差部
【図１】
0003102769.tif 000003
【図２】
0003102769.tif 000004
【図３】
0003102769.tif 000005
【図４】
0003102769.tif 000006
【図５】
0003102769.tif 000007
【図６】
0003102769.tif 000008
【図７】
0003102769.tif 000009
【図８】
0003102769.tif 000010